(57)【要約】【課題】蓋を開けるだけですぐにストローが利用できる飲料とストロー入りの飲料用容器製品を衛生的に実現し提供する。【解決手段】容器１の内側面２にストローを係止する突起部３，３を設け、このストローを係止する突起部３，３に可撓変形の可能なストロー４の吸い口７が容器口５の下になるように係止した飲料用容器。使用時には、その容器１に飲料８を入れ、次に蓋９を装着する。その後ストローを係止する突起部３，３の外側面６を押圧し、可撓変形の可能なストロー４を係止から解き、吸い口７を蓋９の裏に止める。利用時には、蓋９を開けるだけで、容器口５から突出する吸い口７を飲用に利用出来る。【選択図】図１
2004238077.tif 000002
【特許請求の範囲】
【請求項１】
蓋と可撓変形の可能なストローを備えた飲料用容器であって、前記容器の内側面にストローを係止する突起部を設け、前記ストローの長さは前記容器の全長以上に設定したことを特徴とする飲料用容器。
【発明の詳細な説明】
【０００１】
【発明の属する技術分野】
本発明は、蓋と可撓変形の可能なストローを備えた飲料用容器、特に、容器口の下に可撓変形の可能なストロー全体を容器の中に係止しておくことが出来る飲料用容器に関するものである。
【０００２】
【従来の技術】
従来の、蓋と可撓変形の可能なストローを備えたさまざまの容器においては、飲料を入れた容器に、可撓変形の可能なストローの吸い口を容器口の外に残し差し入れて、次に容器口より突出しているストローの吸い口を容器内に押し下げて収めた後に蓋を装着して、蓋と可撓変形の可能なストローとを備えた飲料入り容器製品を実現していた。（例えば、特許文献１及び特許文献２参照）。
［特許文献１］特開２０００−３１８７３８号公報。
［特許文献２］実用新案登録第３０３３，０３６号公報。
【０００３】
【発明が解決しようとする課題】
従来の容器にあっては、蓋と可撓変形の可能なストローを備えた飲料入り容器製品を実現する場合は、まず容器に飲料を入れて次に可撓変形の可能なストローを差し入れて吸い口を容器口から突出させ、あるいは差し入れた可撓変形の可能なストローの吸い口を容器口より突出した状態の容器に飲料を入れて蓋を装着していた。そのために蓋の装着時には、上記いずれの場合も容器口より突出する吸い口を容器内に押し下げ収めなければ、蓋と可撓変形の可能なストローを備えた飲料入りの容器製品が実現出来ない問題点があつた。
【０００４】そのために、飲料を入れた容器に容器口より可撓変形の可能なストローを差し入れるさいに、飲料と可撓変形の可能なストローの衝突で飛び跳ねた飲料が容器口の上面について残る問題点があり、又、可撓変形の可能なストローを先に入れた容器に飲料を入れるさいにも、やはり飲料が容器口より突出する可撓変形の可能なストローの吸い口を伝って容器口の上面に残ってしまう問題点があつた。
【０００５】その結果、上記のいずれの場合にも蓋の装着時には蓋と容器口の間に飲料が挟み込まれてしまい、そのために蓋を開けてすぐに可撓変形の可能なストローを利用出来る飲料入り容器製品が衛生的に実現出来ない問題点が残った。
【０００６】
【課題を解決するための手段】
上記問題を解決するために、本発明の飲料用容器においては、容器の中部もしくは上部の内側面と一体にストローを係止する突起部を設け、前記容器の全長以上の長さに設定した可撓変形の可能なストローを撓めて、空容器の容器口の下に前記ストロー全体を係止する構成とする。
【０００７】本発明を使用するにあたっては、本発明の飲料用容器に飲料を入れ、蓋を装着したのち、前記ストローを係止する突起部を外側面より押圧し、前記ストローを前記ストローを係止する突起部より解放し飲料中を上昇させて、装着した蓋の裏に吸い口を止める。
【０００８】その結果、この蓋を開けることにより、可撓変形の可能なストローを復元力によりさらに伸長させて、吸い口を容器口より突出し、飲用時の利用を可能とする飲料入り容器製品が衛生的に実現出来ることとなる。
【０００９】
【発明の実施の形態】
以下、本発明の実施の形態を実施例１、２、３によって図面を参照しながら説明する。尚、実施例１、２においては飲料用容器として透明プラスチック製ペットボトル容器、実施例３においては飲料用容器としてアルミニウム製プルトップ式容器をもちいて図面を参照して説明する。更に、可撓変形の可能なストロー４、１４、２４は螺旋形をふくむ様々な形状をもちいても可能であるが、以下の実施例１、２、３の説明ではＳ字状形をもちい、伸長時の長さはそれぞれの容器１、１１、２１の全長以上で、伸縮時にはそれぞれの容器１、１１、２１内に無理なくおさまるものとする。
【００１０】（実施例１）
図１は実施例１の本発明の飲料用容器を示す。容器１の中部位置の内側面２に、可撓変形の可能なストロー４の直径半分以上の高さで前記直径以下の間隙を有するように設定した複数個のストローを係止する突起部３，３を並列に設ける。
【００１１】次に、容器口５より前記ストロー４を差し入れ底部１０に着くまで押し下げて、復元力を十分残したまま撓め前記容器口５の下に吸い口７が位置するように前記突起部３，３の間隙に滑り込ませて係止する。この時前記突起部３，３の間隙にある前記ストロー４は軸径形状を楕円形状に変形して係止されることとなる。
【００１２】本発明は以上のような構造であるので、これを使用するにあたっては、前記容器口５より前記容器１に飲料８を適量入れるさいの前記容器口５への前記飲料８の飛び跳ねが自然と回避されることとなる。
【００１３】その結果として、前記飲料８による汚れのない前記容器口５に、前記吸い口７を押し下げる必要もなく衛生的に蓋９を装着することが出来る。
【００１４】次に、前記ストロー４を係止した前記突起部３，３間の外側面６を指や棒状のものの先端等で押圧し、前記突起部３，３間を内方に凸形状に押し出し変形することにより、前記突起部３，３間の間隙を開き、それにより解放され伸長する前記ストロー４の前記吸い口７を、取り付けた前記蓋９の裏面に止める。
【００１５】そして前記蓋９を開け、前記ストロー４を復元力によりさらに伸長させて、前記吸い口７を前記容器口５より突出し、飲用時の利用を可能とする飲料用容器製品を実現することが出来る。
【００１６】（実施例２）
図２は実施例２の本発明の飲料用容器を示す。容器１１の容器口１５の下の内側面１２に、可撓変形の可能なストロー１４の吸い口１７先端を係止するにたりる高さ有する円環状のストローを係止する突起部１３を周設する。
【００１７】次に、前記容器口１５より前記ストロー１４を差し入れ底部２０に着くまで押し下げて、復元力を十分残したまま撓め、前記突起部１３の下部に前記吸い口１７の先端を掛けて、たえず伸長しようとする前記ストロー１４の復元力を利用し係止状態とし、なおかつ前記吸い口１７の一部を、前記突起部１３の下の前記内側面１２に接しさせる。
【００１８】本発明は以上のような構造であるのでこれを使用するにあたっては、前記容器口１５より前記容器１１に飲料１８を適量入れるさいの、前記容器口１５への前記飲料１８の飛び跳ねが自然と回避されることとなる。
【００１９】その結果として、前記飲料１８による汚れのない前記容器口１５に、前記吸い口１７を押し下げる必要もなく衛生的に蓋１９を装着することが出来る。
【００２０】次に、前記吸い口１７の一部が接した前記内側面１２の外側面１６を指や棒状のものの先端等で押圧し、この前記内側面１２を内方に凸形状に押し出し変形することにより、前記吸い口１７の先端を内方に押し出して前記突起部１３から外し、解放され伸長する前記吸い口１７を、前記蓋１９の裏面に止める。
【００２１】そして前記蓋１９を開け、前記ストロー１４を復元力によりさらに伸長させて、前記吸い口１７を前記容器口１５より突出し、飲用時の利用を可能とする飲料用容器製品を実現することが出来る。
【００２２】（実施例３）
図３は実施例３の本発明の飲料用容器を示す。容器２１の上部位置の内側面２２に、可撓変形の可能なストロー２４の直径半分以上の高さで前記直径以下の間隙を有するように設定した複数個のストローを係止する突起部２３，２３を並列に設ける。
【００２３】次に、容器口２５ａより前記ストロー２４を差し入れ底部３０に着くまで押し下げて、復元力を十分残したまま撓め、前記容器口２５ａの下に吸い口２７が位置するように、前記突起部２３，２３の間隙に滑り込ませて係止する。
【００２４】本発明は以上のような構造であるのでこれを使用するにあたっては、前記容器口２５ａより前記容器２１に飲料２８を適量入れるさいの前記容器口２５ａへの前記飲料２８の飛び跳ねが自然と回避されることとなる。
【００２５】その結果として、前記飲料２８による汚れのない前記容器口２５ａに、前記吸い口２７を押し下げる必要もなく、係止した前記吸い口２７の上方位置に小蓋２９ｂがくるように衛生的に蓋２９ａを装着することが出来る。
【００２６】次に、前記ストロー２４を係止した前記突起部２３，２３間の外側面２６を、棒状のものの先端等で押圧し、前記突起部２３，２３間を内方に凸形状に押し出し変形することにより、前記突起部２３，２３間の間隙を開き、解放され伸長する前記ストロー２４の前記吸い口２７を、前記小蓋２９ｂの裏面に止める。
【００２７】そして前記小蓋２９ｂを切り開けて、前記ストロー２４を復元力によりさらに伸長させて、前記吸い口２７を小容器口２５ｂより突出し飲用時の利用を可能とする飲料用容器製品を実現することが出来る。
【００２８】ここに図示しさらに説明したこの発明の実施例１、２、３の形態は、この発明の好ましい例であって、部品の形状、大きさ、配置等についての数多くの変更は、この発明の精神または特許請求の範囲にもとることなく遂行出来るものである。
【００２９】
【発明の効果】
本発明は上述の通り構成作用するので次の優れた効果を奏する。即ち実施例１、２、３では蓋を備え飲料と可撓変形の可能なストローを入れた容器の蓋の装着時に、容器口より突出している吸い口を容器口内へ押し下げる必要なく、容器口上面に残った飲料を容器口と蓋との間にはさみ残すことなく、衛生的に蓋を装着することが出来る。
【００３０】又、蓋を開けることなく可撓変形の可能なストローの係止を外側面に押圧を与えるだけで解放することが出来る。
【００３１】又、実施例１、２では容器口の口径が小さなものであっても、可撓変形の可能なストローを係止可能な深さまで差し入れるだけで周設された突起部に係止することが出来る。
【００３２】又、実施例３では容器口が広く開いているので、前記突起部が２個であっても可撓変形の可能なストローを容易に係止することが出来る。
【００３３】又、はじめての利用時に、蓋を開けるだけで可撓変形の可能なストローを利用して飲料を飲むことが出来る。
【００３４】又、容器口内へ可撓変形の可能なストローの差し入れが困難な、子供や身体の不自由な人も、苦労せずに可撓変形の可能なストローを利用し飲料を飲むことが出来る。
【００３５】又、購入後、ストローの用意のある無しを心配せずに、いつでも可撓変形の可能なストローを利用し飲料を飲むことが出来る。
【図面の簡単な説明】
【図１】実施例１の飲料用容器を示し、（ａ）は斜視図で、（ｂ）は（ａ）のＡ−Ａ線断面図である。
【図２】実施例２の飲料用容器の一部切欠斜視図である。
【図３】実施例３の飲料用容器を示し、（ａ）は分解斜視図で、（ｂ）は（ａ）のＢ−Ｂ線における断面図である。
【符号の説明】
１、１１、２１                容器
２、１２、２２                内側面
３、１３、２３                突起部
４、１４、２４                ストロー
５、１５、２５ａ、２５ｂ      容器口及び小容器口
６、１６、２６                外側面
７、１７、２７                吸い口
８、１８、２８                飲料
９、１９、２９ａ、２９ｂ      蓋及び小蓋
１０、２０、３０              底部
【図１】
2004238077.tif 000003
【図２】
2004238077.tif 000004
【図３】
2004238077.tif 000005